(57)【要約】【課題】ファインダを備える撮像装置において、組立作業性を良好として、フォーカシングスクリーンおよび視野枠の調整を容易に行うことができるようにする。【解決手段】ファインダは、光学像が結像するスクリーン７１と、スクリーンに結像した光学像の観察範囲を規定する視野枠７２とが備えられたスクリーンユニットと、観察範囲をプリズムを介して観察する接眼レンズ７５と、プリズムおよび接眼レンズを保持するレンズ保持部材１０１とを有し、撮像装置には撮像光学系を介して入射した光学像をスクリーンの側に反射するミラー４と、ミラーを保持するミラー保持部材３００と、ミラー保持部材とスクリーンユニットとの間に配置され、その厚みが調節可能なスペーサ３０２とが備えられ、レンズ保持部材はミラー保持部材に固定され、スクリーンユニットはスペーサを介してミラー保持部材に対して光軸方向に当接して、光軸方向および光軸に垂直な方向に可動する。【選択図】図２
2020079873.tif 000002
【特許請求の範囲】
【請求項１】
光学像を観察するためのファインダユニットを備える撮像装置であって、
前記ファインダユニットには、光学像が結像するフォーカシングスクリーンと、前記フォーカシングスクリーンに結像した光学像の観察範囲を規定する視野枠と、が備えられたフォーカシングスクリーンユニットと、
前記観察範囲をプリズムを介して観察するための接眼レンズと、
前記プリズムおよび前記接眼レンズを保持するレンズ保持部材と、が備えられており、
撮像光学系を介して入射した前記光学像を前記フォーカシングスクリーンの側に反射するミラーと、
前記ミラーを保持するミラー保持部材と、
前記ミラー保持部材と前記フォーカシングスクリーンユニットとの間に配置され、その厚みが調節可能なスペーサと、を有し、
前記レンズ保持部材は前記ミラー保持部材に固定され、前記フォーカシングスクリーンユニットは前記スペーサを介して前記ミラー保持部材に対して光軸方向に当接して、前記光軸方向および光軸に垂直な方向に可動すること特徴とする撮像装置。
【請求項２】
前記フォーカシングスクリーンユニットには、少なくとも前記撮像装置に係る設定情報を前記視野枠又は前記視野枠の外に表示する表示部材が備えられていることを特徴とする請求項１に記載の撮像装置。
【請求項３】
前記フォーカシングスクリーンユニットと前記レンズ保持部材との間には第１の弾性体が配置されており、
前記第１の弾性体は前記フォーカシングスクリーンユニットを前記スペーサに付勢することを特徴とする請求項２に記載の撮像装置。
【請求項４】
前記フォーカシングスクリーンユニットは、前記フォーカシングスクリーンおよび前記視野枠を保持する第１の保持部材と、
前記表示部材を保持する第２の保持部材と、を有し、
前記第１の保持部材と前記第２の保持部材との間には第２の弾性体が配置され、前記第１の弾性体の付勢力は前記第２の弾性体の付勢力よりも大きいことを特徴とする請求項３に記載の撮像装置。
【請求項５】
前記フォーカシングスクリーンユニットは、前記フォーカシングスクリーンおよび前記視野枠を保持する第１の保持部材と、
前記表示部材を保持する第２の保持部材と、を有し、
前記第１の保持部材と前記第２の保持部材との間には第２の弾性体が配置され、前記第１の弾性体の付勢力は前記第２の弾性体の付勢力よりも小さいことを特徴とする請求項３に記載の撮像装置。
【請求項６】
前記ミラー保持部材には前記撮像光学系が装着されるレンズマウントが配置されており、
前記撮像光学系を介して前記光学像が結像して当該光学像に応じた画像信号を出力する撮像素子を有し、
前記レンズマウントから前記撮像素子の結像面までの光学的距離と前記レンズマウントから前記フォーカシングスクリーンの結像面までの光学的距離とに基づいて前記スペーサの厚みを変更して前記フォーカシングスクリーンユニットの光軸方向における位置を調整する第１の調整が行われることを特徴とする請求項１乃至５のいずれか１項に記載の撮像装置。
【請求項７】
前記撮像素子における撮像範囲と前記視野枠における観察範囲とに基づいて前記フォーカシングスクリーンユニットの光軸に垂直な方向における位置を調整する第２の調整が行われることを特徴とする請求項６に記載の撮像装置。
【請求項８】
前記第２の調整は、前記第１の調整の後に行われることを特徴とする請求項７に記載の撮像装置。
【発明の詳細な説明】
【技術分野】
【０００１】
本発明は、撮像装置に関し、特に、撮像装置に搭載されるファインダユニットの調整に関する。
【背景技術】
【０００２】
一般に、デジタルカメラなどの撮像装置において被写体を観察するための光学ファインダなどのファインダユニットを備えるものが知られている。そして、この種の撮像装置においては撮影光路外に移動可能なミラーを備え、被写体を観察する際にはミラーを撮影光路に配置してミラーによって光学像を反射して光学ファインダに光学像を導く。一方、撮影の際には、ミラーを跳ね上げて撮影光路外に退避させて光学像を撮像素子に結像させて撮影を行う。
【０００３】
このような撮像装置においては、光学ファインダにおいて光学像（被写体像）が結像するフォーカシングスクリーンにおけるピントと撮像素子におけるピントとが略同一であることが望ましい。このため、撮像装置の製造工程においては、フォーカシングスクリーンにおけるピントを撮像素子におけるピントに一致させるため、光軸方向において高精度の調整を行う必要がある。
【０００４】
さらには、上述の撮像装置においては、光学ファインダにおける観察範囲と撮像素子における撮像範囲とが略同一であることが望ましい。このため、撮像装置の製造工程においては、観察範囲と撮像範囲との一致度を示す値である視野率を保証するため、観察範囲を決定する視野枠を光軸に垂直な方向において高精度に調整する必要がある。
【０００５】
上記の調整を行うため、例えば、フォーカシングスクリーン上に配置されたスペーサの厚みを変更してフォーカシングスクリーンを光軸方向において調整するようにしたものがある（特許文献１）。
【０００６】
このため、特許文献１においては、ファインダユニットを、ミラーを保持するミラーボックスに取り付けて、フォーカシングスクリーン、視野枠、およびスペーサをバネによって保持部材に固定している。そして、特許文献１では、保持部材を光軸に垂直な平面に沿って移動可能として、当該保持部材を移動させることによって視野枠を光軸に垂直な方向において調整するようにしている。
【先行技術文献】
【特許文献】
【０００７】
【特許文献１】特開２０１７−６８１８３号公報
【発明の概要】
【発明が解決しようとする課題】
【０００８】
しかしながら、上述の特許文献１においては、光軸方向における調整を行う際にスペーサの厚みを変更するためには、バネおよびフォーカシングスクリーンを取り外してミラーボックス側からスペーサの厚みを変更する必要がある。このため、特許文献１においては、スペーサを取り付ける際には、ミラーボックスに備えられたミラーを避けつつスペーサを組み付ける必要があり組立が極めて煩わしい。
【０００９】
そこで、本発明の目的は、組立作業性を良好として、フォーカシングスクリーンおよび視野枠の調整を容易に行うことのできる撮像装置を提供することにある。
【課題を解決するための手段】
【００１０】
上記の目的を達成するため、本発明による撮像装置は、光学像を観察するためのファインダユニットを備える撮像装置であって、前記ファインダユニットには、光学像が結像するフォーカシングスクリーンと、前記フォーカシングスクリーンに結像した光学像の観察範囲を規定する視野枠と、が備えられたフォーカシングスクリーンユニットと、前記観察範囲をプリズムを介して観察するための接眼レンズと、前記プリズムおよび前記接眼レンズを保持するレンズ保持部材と、が備えられており、撮像光学系を介して入射した前記光学像を前記フォーカシングスクリーンの側に反射するミラーと、前記ミラーを保持するミラー保持部材と、前記ミラー保持部材と前記フォーカシングスクリーンユニットとの間に配置され、その厚みが調節可能なスペーサと、を有し、前記レンズ保持部材は前記ミラー保持部材に固定され、前記フォーカシングスクリーンユニットは前記スペーサを介して前記ミラー保持部材に対して光軸方向に当接して、前記光軸方向および光軸に垂直な方向に可動すること特徴とする。
【発明の効果】
【００１１】
本発明によれば、組立作業性を良好として、フォーカシングスクリーンおよび視野枠の調整を容易に行うことができる。
【図面の簡単な説明】
【００１２】
【図１】本発明の第１の実施形態によるファインダユニットを備える撮像装置の一例を示す図である。
【図２】図１に示すファインダユニットおよび撮像ユニットの構成を分解して示す斜視図である。
【図３】図２に示すペンタユニットを分解して示す斜視図である。
【図４】図２に示すスクリーンユニットを分解して示す斜視図である。
【図５】図１に示すファインダユニットおよびミラーボックスを上側から見た図である。
【図６】図５に示すＡ−Ａ線に沿った断面図である。
【図７】本発明の第２の実施形態に係るカメラで用いられるファインダユニットおよびミラーボックスについて図５に示すＡ−Ａ線に沿った断面を示す図である。
【発明を実施するための形態】
【００１３】
以下に、本発明の実施の形態によるファインダユニットを備える撮像装置の一例について図面を参照して説明する。
【００１４】
［第１の実施形態］
図１は、本発明の第１の実施形態によるファインダユニットを備える撮像装置の一例を示す図である。なお、以下の説明では、撮像装置としてデジタル一眼レフカメラ（以下単にカメラと呼ぶ）を例に挙げて説明する。
【００１５】
カメラはカメラ本体（撮像装置本体）１を有しており、カメラ本体１には着脱可能な撮影レンズユニット（以下単に撮影レンズと呼ぶ）２が装着されている。撮影レンズ（撮像光学系）２には、撮影光学系２１および露光量を調節するための絞り２２が備えられている。なお、図示の例では、撮影光学系２１は１枚のレンズで示されているが、実際には複数のレンズ群からなる。
【００１６】
撮影レンズ２は、レンズマウント（単にマウントとも呼ぶ）３を介してカメラ本体１に電気的および機械的に接続される。さらに、撮影レンズ２においては駆動機構（図示せず）によって撮影光学系２１に備えられたフォーカスレンズを光軸に沿って移動させて焦点調節を行う。
【００１７】
カメラ本体１には可動のハーフミラー４が備えられている。当該ハーフミラー４は撮影光学系２１を介して入射する光学像を反射するとともに透過する。つまり、ハーフミラー４は１つの光路を２つの光路に分割することになる。
【００１８】
ハーフミラー４の後段には可動のサブミラー５（全反射ミラー）が配置されており、サブミラー５はハーフミラー４を透過した光学像を反射して焦点検出ユニット６に導く。焦点検出ユニット６は当該光学像に応じて所謂位相差検出方式による焦点検出を行う。
【００１９】
ファインダユニット７は、フォーカシングスクリーン７１、視野枠７２、ＰＮ−ＬＣＤ７３、ペンタプリズム７４、接眼レンズユニット７５、情報表示部材７６、表示プリズム７７、測光センサ７８、および測光レンズ７９を備えている。ハーフミラー４で反射した光学像はフォーカシングスクリーン７１に結像する。
【００２０】
視野枠７２は、フォーカシングスクリーン７１の直上に配置されており、光学像の観察範囲を規定する開口部を有している。ＰＮ−ＬＣＤ７３は、非通電時においては拡散状態となり、通電時において透過状態になる高分子分散液晶で構成された高分子分散液晶パネルである。そして、ＰＮ−ＬＣＤ７３は視野枠７２の上に配置される。
【００２１】
ＰＮ−ＬＣＤ７３には、観察範囲においてカメラに係る情報が表示される。フォーカシングスクリーン７１に結像した光学像は、ＰＮ−ＬＣＤ７３を透過してペンタプリズム７４を介して複数のレンズを有する接眼レンズユニット７５に導かれる。撮影者は接眼レンズユニット７５によって光学像を観察することができる。
【００２２】
情報表示部材７６には、観察範囲外においてカメラに係る設定情報が表示される。情報表示部材７６から出射した光は、表示プリズム７７を介してペンタプリズム７４に入射する。撮影者は接眼レンズユニット７５を介して観察範囲の下側において設定情報を見ることができる。
【００２３】
測光センサ７８は、測光レンズ７９を介してフォーカシングスクリーン７１から拡散光を検出して、当該検出結果に基づいて被写体を測光して、例えば、輝度情報を得る。
【００２４】
ハーフミラー４の後段には、撮像ユニット８が配置されており、撮像ユニット８はＣＣＤ又はＣＭＯＳセンサなどの撮像素子８１と光学ローパスフィルタ８２とを有している。撮像素子８１は単発的又は連続的に駆動され、撮像素子８１の出力（画像信号）に応じて静止画像又は動画像を得る。なお、撮像素子８１によって撮像される画像の範囲を示す撮像範囲が決定される。
【００２５】
光学ローパスフィルタ８２は、被写体像（光学像）において所定のカットオフ周波数以上の成分をカットして光学像を撮像素子８１に結像する。
【００２６】
図示のように、サブミラー５と撮像ユニット８との間には、撮像素子８１に入射する光量を調節するフォーカルプレーンシャッタ９が配置されている。
【００２７】
撮影動作が行われると、ハーフミラー４およびサブミラー５が上方に跳ね上げられて、フォーカルプレーンシャッタ９によって露光量がコントロールされて撮像素子８１に光学像が結像する。つまり、撮影が行われる。そして、撮影の後、ハーフミラー４およびサブミラー５は図１に示す位置（光軸上の位置）に復帰する。
【００２８】
図２は、図１に示すファインダユニットおよび撮像ユニットの構成を分解して示す斜視図である。そして、図２（ａ）は正面側から見た斜視図であり、図２（ｂ）は背面側から見た斜視図である。
【００２９】
図示のファインダユニット７は、ペンタユニット１００およびスクリーンユニット（フォーカシングスクリーンユニット）２００に分離される。ペンタユニット１００は、ビス３０１によってミラーボックス（ミラー保持部材）３００に固定される。なお、後述するように、スクリーンユニット２００はワッシャ３０２を介してミラーボックス３００に対して光軸方向に当接する。
【００３０】
ミラーボックス３００にはハーフミラー４が保持されており、ミラー駆動機構（図示せず）によってハーフミラー４が駆動される。これによって、ファインダユニット７によって被写体を観察する状態（観察状態）と撮像ユニット８によって撮像を行う状態（撮像状態）とが切り替えられる。さらに、ミラーボックス３００にはマウント３が保持されており、撮影レンズ２（図２には示さず）がレンズ取り付け面３ａに当接した状態でマウント３に取り付けられる。
【００３１】
撮像ユニット８は、ミラーボックス３００に対して光軸に垂直な方向に位置決めされて、調整用ビス３０３によってミラーボックス３００に固定される。ミラーボックス３００と撮像ユニット８との間にはコイルバネ３０４が配置されており、コイルバネ３０４によって撮像ユニット８は調整用ビス３０３の側に付勢される。
【００３２】
調整用ビス３０３の位置を調整することによって、撮像ユニット８を光軸に沿って移動させると、レンズ取り付け面３ａから撮像素子８１の撮像面までの光学的距離（フランジバック）を調整することができる。
【００３３】
前述のように、ミラーボックス３００には、ファインダユニット７、撮像ユニット８、ハーフミラー４、およびマウント３が保持されている。さらには、ミラーボックス３００には、サブミラー５、焦点検出ユニット６、およびフォーカルプレーンシャッタ９が保持されるが、ここでは、図面簡略化のため図示が省略されている。
【００３４】
図３は、図２に示すペンタユニットを分解して示す斜視図である。
【００３５】
ペンタユニット１００は、ペンタプリズム７４、接眼レンズユニット７５、測光センサ７８、および測光レンズ７９を備えている。
【００３６】
接眼レンズユニット７５は、第１の接眼レンズ７５ａ、第２の接眼レンズ７５ｂ、第３の接眼レンズ７５ｃ、および第４の接眼レンズ７５ｄの４枚の接眼レンズを有している。そして、ペンタ保持部材（レンズ保持部材）１０１には、ペンタプリズム７４および接眼レンズユニット７５が保持される。なお、第２の接眼レンズ７５ｂは、視度補正のために光軸方向に移動可能であるが、既知であるのでここでは説明を省略する。
【００３７】
接眼レンズ蓋１０２がビス１０３によってペンタ保持部材１０１に締結されており、接眼レンズ蓋１０２は接眼レンズユニット７５が光軸に垂直な方向に抜けないように蓋をする役割をもつ。そして、接眼レンズ蓋１０２には、測光センサ７８および測光レンズ７９が接着固定される。
【００３８】
図４は、図２に示すスクリーンユニットを分解して示す斜視図である。
【００３９】
図示のように、スクリーンユニット２００は、フォーカシングスクリーン７１、視野枠７２、ＰＮ−ＬＣＤ７３、情報表示部材７６、および表示プリズム７７を有している。
【００４０】
ＦＳ保持部材２０１には、フォーカシングスクリーン７１および視野枠７２が保持される。そして、押えバネ２０２がＦＳ保持部材２０１に保持されて、押えバネ２０２によってフォーカシングスクリーン７１および視野枠７２がＦＳ保持部材２０１に対して光軸方向に付勢される。
【００４１】
ＰＮ保持部材２０３には、ＰＮ−ＬＣＤ７３、情報表示部材７６、および表示プリズム７７が保持される。そして、ＰＮ保持部材２０３はＦＳ保持部材２０１に対して光軸に垂直の方向に位置決めされる。なお、腕部２０３ｂは、後述する視野枠７２を光軸に垂直な方向に調整する際に工具によって把持される部分である。
【００４２】
ＰＮライトガイド２０４はＰＮ−ＬＣＤ７３の側面に配置され、ＬＥＤ（図示せず）からの光をＰＮ−ＬＣＤ７３に導光する。ＰＮマスク２０５はＰＮ−ＬＣＤ７３の直上に配置され、ＰＮ−ＬＣＤ７３における表示範囲を決定する。また、ＰＮマスク２０５の表裏には両面テープが配置されており、その片面がＰＮ保持部材２０３に固定され、他面にはＰＮ−ＬＣＤ７３およびＰＮライトガイド２０４が固定される。
【００４３】
表示ライトガイド２０６は情報表示部材７６の背面に配置され、ＬＥＤ（図示せず）からの光を情報表示部材７６に導光する。表示ライトガイド保持部材２０７には表示ライトガイド２０６が保持される。
【００４４】
反射シート２０８は表示ライトガイド２０６の背面に配置され、表示ライトガイド２０６によって導光された光のうち反射シート２０８の側に射出された光を情報表示部材７６の側に反射する。表示ライトガイドマスク２０９は情報表示部材７６と表示ライトガイド２０６との間に配置され、表示ライトガイド２０６によって導光された光が情報表示部材７６を照射する範囲を決定する。
【００４５】
なお、固定板２１０によって、情報表示部材７６、表示ライトガイド２０６、表示ライトガイド保持部材２０７、反射シート２０８、および表示ライトガイドマスク２０９がＰＮ保持部材２０３に固定される。
【００４６】
表示マスク２１１は、表示プリズム７７の直上に配置され、情報表示部材７６の表示範囲を決定するととともに、観察範囲外の光を遮光する。
【００４７】
第１の弾性部材（第１の弾性体）２１２はＰＮ保持部材２０３とペンタ保持部材１０１との間に配置される。そして、第１の弾性部材２１２がＰＮ保持部材２０３およびペンタ保持部材１０１によって圧縮されることによって、ＰＮ保持部材２０３がＦＳ保持部材２０１の側に付勢される。さらに、第１の弾性部材２１２は観察範囲と情報表示部材７６の表示範囲の外側とを全周で囲っており、ＦＳ保持部材２０１およびペンタ保持部材１０１の間に外部からゴミが侵入することを防止する。
【００４８】
第２の弾性部材（第２の弾性体）２１３はＦＳ保持部材２０１とＰＮ−ＬＣＤ７３との間に配置される。第２の弾性部材２１３がＦＳ保持部材２０１およびＰＮ保持部材２０３によって圧縮されることによってＦＳ保持部材２０１がワッシャ３０２の側に付勢され、ＰＮ保持部材２０３がペンタ保持部材１０１の側に付勢される。さらに、第２の弾性部材２１３は観察範囲と情報表示部材７６の表示範囲の外側とを全周で囲っており、ＦＳ保持部材２０１およびＰＮ保持部材２０３の間に外部からゴミが侵入することを防止する。
【００４９】
ここで、上述のスクリーンユニットについてさらに説明する。
【００５０】
図５は、図１に示すファインダユニットおよびミラーボックスを上側から見た図である。また、図６は図５に示すＡ−Ａ線に沿った断面図である。
【００５１】
前述の第１の弾性部材２１２の付勢力は第２の弾性部材２１３の付勢力より大きく、ＰＮ保持部材２０３は凸部２０３ａによってＦＳ保持部材２０１に対して光軸方向に当接する。また、第１の弾性部材２１２および第２の弾性部材２１３の付勢力によって、ＦＳ保持部材２０１は凸部２０１ａにおいてワッシャ３０２に当接する。
【００５２】
このため、ワッシャ３０２の厚みを変更することによって（ワッシャ３０２は厚みが調節可能である）、ＦＳ保持部材２０１およびＰＮ保持部材２０３を光軸方向に移動させることができる。よって、ＦＳ保持部材２０１およびＰＮ保持部材２０３に保持されたフォーカシングスクリーン７１、視野枠７２、ＰＮ−ＬＣＤ７３、および情報表示部材７６などの部材もワッシャ３０２の厚みを変更することによって光軸方向に移動させることができる。
【００５３】
前述のように、ＰＮ保持部材２０３は腕部２０３ｂを治具によって掴んで光軸に垂直な方向に移動させることができる。ＦＳ保持部材２０１はＰＮ保持部材２０３に光軸に垂直な方向に位置決めされているので、ＰＮ保持部材２０３とともに移動させることができる。よって、ＦＳ保持部材２０１およびＰＮ保持部材２０３に保持されたフォーカシングスクリーン７１、視野枠７２、ＰＮ−ＬＣＤ７３、および情報表示部材７６などの部材も光軸に垂直な方向に移動させることができる。
【００５４】
ここで、フォーカシングスクリーン７１の光軸方向の調整と視野枠７２の光軸に垂直な方向の調整について説明する。
【００５５】
図示のカメラにおいては、まず撮像素子８１の位置を決定する。撮像素子８１の光軸に垂直な方向の位置については、撮像素子８１をミラーボックス３００に調整用ビス３０３によって固定することで決定して、これによって撮影範囲の光軸に垂直な方向の位置が決定される。
【００５６】
次に、フランジバックを既知の工具により測定して撮像面が所定のフランジバックの位置となるように撮像素子８１の光軸方向の位置を調整用ビス３０３で調節する。
【００５７】
続いて、フォーカシングスクリーン７１の光軸方向の位置を決定する。まず、ミラーボックス３００にファインダユニット７をワッシャ３０２がない状態で固定する。そして、レンズ取り付け面３ａからフォーカシングスクリーン７１の結像面までの光学的距離を測定して、フランジバックとレンズ取り付け面３ａからフォーカシングスクリーン７１の結像面までの光学的距離の差を算出する。
【００５８】
次に、ファインダユニット７をミラーボックス３００から外して、ワッシャ３０２をミラーボックス３００に対して光軸方向に組み付ける。この際、ワッシャ３０２の厚みを、前述のフランジバックとレンズ取り付け面３ａからフォーカシングスクリーン７１の結像面までの光学的距離の差と略同一とする。
【００５９】
その後、再度ファインダユニット７をミラーボックス３００に固定して、フォーカシングスクリーン７１のピントを撮像素子８１のピントに一致させる。この際には、フォーカシングスクリーン７１とともにＰＮ−ＬＣＤ７３および情報表示部材７６を光軸方向に調整される。このため、フォーカシングスクリーン７１の光軸方向の調整によって、フォーカシングスクリーン７１とＰＮ−ＬＣＤ７３および情報表示部材７６との視度がずれることがない。
【００６０】
また、ワッシャ３０２は、ファインダユニット７を外したミラーボックス３００に対して光軸方向に組み付けられるので、組み立てが極めて容易となる。
【００６１】
最後に、視野枠７２の光軸に垂直な方向の位置を決定する。まず、撮影範囲の位置を工具によって測定する。次に、視野枠７２の光軸に垂直な方向の位置を、接眼レンズユニット７５を介して工具で測定する。そして、測定によって得られた撮像範囲と視野枠７２の位置とに基づいて、その差分を算出する。当該差分に応じて腕部２０３ｂを工具で掴んでＰＮ保持部材２０３を光軸に垂直な方向に移動させて、観察範囲が撮像範囲と略同一となるように調整する。
【００６２】
視野枠７２の光軸に垂直な方向の調整の後、ＰＮ保持部材２０３において腕部２０３ｂがペンタ保持部材１０１に接着固定される。
【００６３】
視野率は、視野枠７２の光軸方向の位置のみではなく、視野枠７２の開口部の大きさ（開口部の製造誤差）にも関係する。このため、高視野率（約１００％）のカメラにおいては、フォーカシングスクリーン７１を光軸方向の調整よりも視野枠７２の光軸に垂直な方向の調整の方を高精度に行う必要がある。
【００６４】
さらに、ＦＳ保持部材２０１およびワッシャ３０２などの製造誤差に起因して、フォーカシングスクリーン７１の光軸方向の調整と視野枠７２の光軸に垂直な方向の調整とのどちらか一方を行う際には、他方の位置調整が微小に変化する。このため、前述のように、フォーカシングスクリーン７１の光軸方向の調整を行った後に、視野枠７２の光軸に垂直な方向の調整を行えば、視野枠７２の光軸に垂直な方向の調整を高精度に行うことができる。
【００６５】
また、スクリーンユニット２００が第１の弾性部材２１２によってワッシャ３０２に付勢されている。これによって、ＰＮ保持部材２０３をペンタ保持部材１０１に接着固定する際、接着材の硬化の際の収縮によってＰＮ保持部材２０３の位置がずれることを抑制することができる。
【００６６】
なお、上述の例では、ＰＮ保持部材２０３は第１の弾性部材２１２によってＦＳ保持部材２０１に当接するが、ＰＮ保持部材２０３とＦＳ保持部材２０１とをビスによって固定するようにしてもよい。
【００６７】
このように、本発明の第１の実施形態では、組立作業性を良好として、フォーカシングスクリーンおよび視野枠の調整を容易に行うことができる。
【００６８】
［第２の実施形態］
次に、本発明の第２の実施の形態によるファインダユニットを備えるカメラの一例について説明する。なお、第２の実施形態に係るカメラの構成は図１に示すカメラと同様であり、ファインダユニットおよび撮像ユニットの構成は図２〜図４に示す例と同様である。
【００６９】
図７は、本発明の第２の実施形態に係るカメラで用いられるファインダユニットおよびミラーボックスについて図５に示すＡ−Ａ線に沿った断面を示す図である。
【００７０】
図５および図７を参照して、第１の弾性部材２１２の付勢力は、第２の弾性部材２１３の付勢力よりも小さく、ＰＮ保持部材２０３は凸部２０３ｃにおいてペンタ保持部材１０１に対して光軸方向に当接する。さらに、第２の弾性部材２１３の付勢力によって、ＦＳ保持部材２０１は凸部２０１ａにおいてワッシャ３０２に当接する。
【００７１】
このため、ワッシャ３０２の厚みを変更することによって、ＦＳ保持部材２０１を光軸方向に移動させることができる。よって、ＦＳ保持部材２０１に保持されたフォーカシングスクリーン７１および視野枠７２などの部材もワッシャ３０２の厚みを変更することによって光軸方向に移動させることができる。
【００７２】
また、腕部２０３ｂを治具によって掴んで、ＰＮ保持部材２０３を光軸に垂直な方向に移動させることができる。ＦＳ保持部材２０１はＰＮ保持部材２０３に対して光軸に垂直な方向に位置決めされているので、ＰＮ保持部材２０３ととともに移動させることができる。よって、ＦＳ保持部材２０１およびＰＮ保持部材２０３に保持されたフォーカシングスクリーン７１、視野枠７２、ＰＮ−ＬＣＤ７３、および情報表示部材７６などの部材も光軸に垂直な方向に移動させることができる。
【００７３】
なお、フォーカシングスクリーン７１の光軸方向の調整、視野枠７２の光軸に垂直な方向の調整については、前述の第１の実施形態と同様であるので説明を省略する。
【００７４】
第２の実施形態は、例えば、ペンタ保持部材１０１とＰＮ保持部材２０３との間の隙間がワッシャ３０２の厚みの変更量より少ない場合などＰＮ保持部材２０３が光軸方向に移動できない場合に用いられる。そして、第２の実施形態ではＦＳ保持部材２０１のみを光軸方向に移動することによってフォーカシングスクリーン７１の光軸方向の調整が行われる。
【００７５】
このように、本発明の第２の実施形態においても、組立作業性を良好として、フォーカシングスクリーンおよび視野枠の調整を容易に行うことができる。
【００７６】
以上、本発明の好ましい実施形態について説明したが、本発明はこれらの実施形態に限定されず、その要旨の範囲内で種々の変形及び変更が可能である。
【符号の説明】
【００７７】
１  カメラ本体
３  マウント
４  ハーフミラー
７  ファインダユニット
７１  フォーカシングスクリーン
７２  視野枠
７３  ＰＮ−ＬＣＤ
７４  ペンタプリズム
７５  接眼レンズユニット
８１  撮像素子
【図１】
2020079873.tif 000003
【図２】
2020079873.tif 000004
【図３】
2020079873.tif 000005
【図４】
2020079873.tif 000006
【図５】
2020079873.tif 000007
【図６】
2020079873.tif 000008
【図７】
2020079873.tif 000009